(57)【特許請求の範囲】
【請求項１】
リモートコントロール送信器からの信号をリモートコントロール信号受信部で受信またはボタンによる操作を行う受信装置であって、前記ボタンは向きを変えることで前記ボタンを押し込み可能な状態と押し込み不可の状態を作り出すとともに遮蔽板を備え、前記ボタンの向きを変えることで前記遮蔽板により覆われる位置にリモートコントロール信号受信部が覆われることを特徴とする受信装置。
【発明の詳細な説明】
【０００１】
【発明の属する技術分野】
本発明は信号を受信する受信部と操作のためのボタンを備える、電子機器等の受信装置に関するものである。
【０００２】
【従来の技術】
テレビジョン受信機、オーディオ、パーソナルコンピュータ等の電子機器においては、複数の操作のためのさまざまなボタンがその表面または側面等に用いられているが、誤動作を防ぐために、そのボタンがオンされないようなロック機構が工夫されているものがある。操作部のロックを行なう方法として、例えば特開平１１−３１７１２３号公報に記載される方法がある。
【０００３】
この方法は図８に示す様に、電源スイッチ１８を人が誤って操作しないようにするための電源スイッチ１８のロック機構であって、電源スイッチ１８を容器１２ａに設けられた凹部２０に収納すると共に、凹部２０の開口部には開口部を閉塞可能な開閉蓋２２を設けるというものである。
【０００４】
【発明が解決しようとする課題】
上述した方法では、開閉蓋２２を開けながら電源スイッチ１８を操作する必要があるという課題がある。また、この方法では手動の電源スイッチ１８のみに限ったものであり、リモートコントロール信号を受信してスイッチのオン／オフを制御する遠隔制御機能を備える受信装置においては、その誤動作を塞ぐ機能は持ち合わせていない。
【０００５】
【課題を解決するための手段】
本発明は、操作するためのボタンを有する電子機器等において、幼児等がいたずらしてこれらのボタンを操作することが無いようにボタンの操作を行わせないロック手段を備えたボタンを有することを特徴とする受信装置を提供するものである。
【０００６】
また、受信装置のロック手段を備えたボタンの向きをかえることによって、リモートコントロール送信装置（以下、リモコンと記す）からの信号が受信装置に届かないようにすることで、リモコンを操作しても機器が反応しないようにできるロック手段を備えた受信装置を提供するものである。
【０００７】
通常、ボタン類はスイッチを動作させる際の部品として使われているため、押込むことが可能となっている。このボタン類を回転させる事で、押込み可能な状態と、押込み不可の状態を作り出し、ロック機能を持たせる。このためにボタン類にはリブを、キャビネットには凹部と貫通孔を設ける。
【０００８】
また、ボタン近傍にあるリモコンからの信号の受信部を遮蔽する構造を持たせることで、意識的にリモコンからの操作を動作させない状態を作り出すものである。
【０００９】
【発明の実施の形態】
本発明は、ボタンの向きを変えることによって、操作部の操作を可能とすることを特徴とするロック機構を備えた受信装置に関するものである。このような構成を備えることで、誤ってボタンに接触することで誤動作がなされることをふせぐことが可能で、例えば幼児等がいたずらして操作部を触ってもボタン操作できないために、受信装置は誤った操作を起こすことを防ぐという効果を有する。
【００１０】
また本発明は、リモコンからの制御に対しても誤動作を防ぐ機能を奏する受信手段に関するものであり、受信装置のボタンの向きをかえることによりリモコン信号が受信部に届かないようにし、意図的にリモコン操作を操作しても受信装置が反応しないようにすることを特徴とするものであり、これはリモコンを誤って操作した場合でも受信装置の誤動作を防ぐものであり、例えば幼児等のいたずらによるリモコン操作でも反応せず誤動作を起こさない効果を有する。
【００１１】
以下、本発明の実施の形態について、図１から図７を用いて説明する。
【００１２】
（実施の形態１）
図１（ａ）、図１（ｂ）、図１（ｃ）のそれぞれは、本発明の受信装置のボタン１の一構成例を示す断面図であり、図２（ａ）、図２（ｂ）は、ボタン１が係合する受信装置のキャビネット５の一部の構成を示す断面図であり、図３および図４は受信装置のボタン１とキャビネット５と係合する構成を示す断面図であり、図３は係合前の状態と、図４は係合したところの状態を示す断面図であり、図５はボタン１とキャビネット５と係合する状態で、ボタン１がロック時の状態を示す断面図であり、図６はボタン１がロック解除された状態、すなわち操作可能時の状態を示す斜視図である。
【００１３】
図１から図５において１はボタン、２はリブ、３は爪、４はシャフト、５はキャビネット、６は凹部、 ７は貫通孔、８は孔、９はコイルバネ、１０は電源スイッチである。
【００１４】
ボタン１にはリブ２が対称位置に２ヵ所設けされており、外れ防止の爪３、またスイッチを押込む際あてとなるシャフト４で構成される。キャビネット５にはシャフト４が通り爪３が嵌まり込む孔８があいている。また、孔８の周囲にはリブ２のあてとなる凹部６とリブ２を避けるように貫通孔７がそれぞれ対称位置に各２ヵ所構成されている。
【００１５】
図３のようにキャビネット５とボタン１の間にはコイルバネ９が挟められ、常にボタン１を復帰させようとする力を生じている。爪３はボタン１が抜けないようキャビネット５に引っかけられている。図４が組立てられた状態である。図５のようにリブ２が凹部６のところにある場合、ボタン１を押込もうとしても、リブ２が凹部６に当たりそれ以上押込む事が出来ない。これにより操作不可状態を作り出す事ができる。
【００１６】
また、凹部６にリブ２が引っ掛かり回転方向のズレを防ぐことが可能となる。ボタン１を操作可能としたい場合は図６のようにボタン１を９０°回転させ、リブ２を貫通孔７の場所に位置させる。貫通孔７はリブ２の当てとなる事はなく、ボタン１を押込む事が可能となり、電源スイッチ１０を動作させる事が可能となる。
【００１７】
以上のこのことから、ボタン１を９０°回転させる事で簡単に操作部のロックが可能となり、乳幼児が操作部を操作できないという作用を有する。
【００１８】
（実施の形態２）
次に本発明の受信装置における第２の実施の形態例について図面を使って説明する。尚、符号について（実施の形態１）で説明したものについては、同等の機能を備えるものであり、本実施の形態の説明において詳しい説明を省略する。
【００１９】
図７は、受信装置のボタン１とキャビネット５と係合する構成を示す断面図であるが、ボタン１に遮蔽板１１を備え、この遮蔽板１１がキャビネットに備えられるリモコン受信部１２を覆う状態を示している断面図である。
【００２０】
ボタン１にリモコン受信部１２より大きい遮蔽板１１を設ける。遮蔽板１１はボタン１がロック状態の向きの際、リモコン受信部１２を隠すように構成される。
遮蔽板１１に隠されたリモコン受光部１２にリモコン送信器からのリモートコントロール信号は届かず、これにより意識的にリモコン操作を制限させることが可能となる。
【００２１】
ボタンのロック機構については、遮蔽板１１がリモコン受信部１２を隠すように、キャビネット５の凹部６と貫通孔７を配置し、またはボタン１のリブの位置を工夫することにより、ボタン１の接触による誤動作およびリモコン送信器からの信号からの誤動作の両者に対して、受信装置の御操作を防ぐことが可能である。
【００２２】
以上のこのことから、ボタン１に遮蔽板１１を設ける事でボタンのロック機構を持ちつつ、リモコン操作による機器の操作を防ぐという作用を有する。
【００２３】
【発明の効果】
以上のように本発明によれば、操作部を有する受信装置において、幼児等がいたずらして操作部を操作することが無いという作用を有する。また、リモコン装置の向きを変える事によって、リモコン受光部の受信部を覆い隠し、リモコン操作を操作しても機器が反応しないようにできるという作用を有する。
【００２４】
また、この受信装置のボタン１に遮蔽板１１を構成する事で、同一部品にて２つの効果を得る事が出来る。
【図面の簡単な説明】
【図１】本発明の一実施の形態である受信装置のボタンの構成を示す断面図
【図２】本発明の一実施の形態である受信装置のキャビネットの構成を示す断面図
【図３】本発明の一実施の形態である受信装置の構成を示す分解断面図
【図４】本発明の一実施の形態である受信装置の構成を示す断面図
【図５】本発明の一実施の形態である受信装置の構成を示すもので、ボタンがロックされた状態を示す断面図
【図６】同受信装置の構成で、ボタンが操作可能の状態を示す断面図
【図７】本発明の他の実施の形態である受信装置を示す断面図
【図８】従来例における操作部のロック機構を示す断面図
【符号の説明】
１  ボタン
２  リブ
３  爪
４  シャフト
５  キャビネット
６  凹
７  貫通孔
８  孔
９  コイルバネ
１０  電源スイッチ
１１  遮蔽板
１２  リモコン受光部
１２ａ  容器
１８  電源スイッチ
２０  凹部
２２  開閉蓋
【図１】
0004075388.tif 000002
【図２】
0004075388.tif 000003
【図３】
0004075388.tif 000004
【図４】
0004075388.tif 000005
【図５】
0004075388.tif 000006
【図６】
0004075388.tif 000007
【図７】
0004075388.tif 000008
【図８】
0004075388.tif 000009